(57)【要約】【課題】本考案は自動車用ドアミラー・カバーに関し、自動車の所有者が、車体の色彩と調和する自己の好みに適った色彩、図柄のドアミラー・カバーを選んで、既設のドアミラー・ハウジングの表面に簡単な取扱いで容易かつ確実に取付け、装飾性を高めて楽しむ。【解決手段】ミラー２を収容するドアミラー本体１とその背面に取付けられるケース３とを備えた既設のドアミラー・ハウジング４の表面に合成樹脂にて形成された外装用カバー本体５が、着脱可能に被着され、外装用カバー本体は、ドアミラー・ハウジングの少なくともドアミラー本体の外周面に接着される保持ベース枠６の下面に後部または全周部が挿着されて適宜色彩および適宜図柄に設けられるか、適宜色彩または適宜図柄に設けられる。【選択図】図１
0003164951.tif 000002
【実用新案登録請求の範囲】
【請求項１】
ミラーを収容するドアミラー本体と該ドアミラー本体の背面に取付けられるケースとを備えた既設のドアミラー・ハウジングの表面に合成樹脂にて形成された外装用カバー本体が、着脱可能に被着され、
前記外装用カバー本体は、前記ドアミラー・ハウジングの少なくとも前記ドアミラー本体の外周面に接着される保持ベース枠の下面に後部または全周部が挿着されて適宜色彩および適宜図柄に設けられるか、または適宜色彩または適宜図柄に設けられている
ことを特徴とする自動車用ドアミラー・カバー。
【請求項２】
前記外装用カバー本体が、前記ドアミラー・ハウジングに設けられたウィンカーが外部に臨まれる個所を除いて前記ドアミラー・ハウジングの表面を覆うことを特徴とする請求の範囲１に記載の自動車用ドアミラー・カバー。
【請求項３】
前記外装用カバー本体が、ウィンカーが外部に臨まれる横長の凹欠窓部を正面視略中央過半部から外縁部に到るまで設けられることを特徴とする請求項１または２に記載の自動車用ドアミラー・カバー。
【請求項４】
前記外装用カバー本体が、前記ドアミラー・ハウジングの基端側外縁部から上縁部、および前記凹欠窓部を跨いで先端側外縁部、および下面側外縁部に到り、且つ両面接着テープを介して前記ドアミラー・ハウジングに接着された前記保持ベース枠の下面に挿着されて保持されるとともに、前記外装用カバー本体が前記ドアミラー・ハウジングに固着手段によりネジ止めされることを特徴とする請求項１−３の何れかに記載の自動車用ドアミラー・カバー。
【請求項５】
前記外装用カバー本体が、前記ドアミラー・ハウジングの基端側外縁部から上縁部、および先端側外縁部の上半部を経て前記凹欠窓部の上縁部を巡って設置面積を下半部を占めるように形成されて両面接着テープを介して前記ドアミラー・ハウジングに接着された前記保持ベース枠の下面に挿着されることにより保持されるとともに、前記外装用カバー本体が前記ドアミラー・ハウジングに固着手段によりネジ止めされることを特徴とする請求項１−３の何れかに記載の自動車用ドアミラー・カバー。
【請求項６】
前記外装用カバー本体が、透明な合成樹脂により形成されたアウター・カバー部と、該アウター・カバー部内に透視可能に重合して内装され、外面には適宜模様、適宜色彩の表示部が表示されたインナー・カバー部とにより構成されていることを特徴とする請求項１−５の何れかに記載の自動車用ドアミラー・カバー。
【請求項７】
前記固着手段が、前記ドアミラー・ハウジング内に設けられた合成樹脂もしくはゴム製のインサートと該インサートに螺入されるタッピンネジにより構成されるか、または、前記ドアミラー・ハウジングの下面に取付けられるインサートナットと該インサートナット内に螺入されるネジにより構成されるか、前記ドアミラー・ハウジングの下面に係合可能なウェルナットと該ウェルナット内に螺入されるネジにより構成されることを特徴とする請求項４または５に記載の自動車用ドアミラー・カバー。
【考案の詳細な説明】
【技術分野】
【０００１】
本考案は自動車用ドアミラー・カバーに関し、自動車の所有者が、車体の色彩と調和する自己の好みに適った色彩、図柄が施されたドアミラー・カバーを選んで、既設のドアミラー・ハウジングの表面に簡単な取扱いで容易かつ確実に取付け、装飾性を高めて楽しむようにする。
【背景技術】
【０００２】
従来、例えば自動車用のドアミラー・ハウジングは、ドアの側壁面から突設されているため、外部対象物が接触して傷付き易いことに鑑み、ミラーを収容するドアミラー本体と、前記ドアミラー本体と係合する係合爪を設け、前記係合爪によって前記ドアミラー本体に固定される車体色のカバーとを有し、前記カバーの前記係合爪近傍に、前記カバーの他の部位よりも薄肉の可撓部を設けた構成のドアミラーがあった。そして、このドアミラーは、カバーに傷が付いた場合に、カバーの一部を押すと、前記可撓部を基部としてその部分が撓んで前記係合爪が移動し、該係合爪と前記ドアミラー本体との係合が解除されて傷付いた前記カバーを取外す。そして、新たなカバーを前記ドアミラー本体に取付けるのには、前記係合爪をドアミラー本体に係合することにより、高価な既設のドアミラー全体を交換することなしに、既設のドアミラー・ハウジングのうち傷付いたカバーの代わりに新たなカバーのみを交換するようにして廉価に交換を済ますものがあった（例えば、特許文献１参照）。
【先行技術文献】
【特許文献】
【０００３】
【特許文献１】特開２００３−１２７７７３号公報
【考案の概要】
【考案が解決しようとする課題】
【０００４】
しかしながら、特許文献１に記載の上記従来の自動車用ドアミラーは、そのカバー自体が車体に合った同彩色であるが、カバーには図柄を表示することは何等考慮されていないので、デザイン的な変化が乏しく、装飾性が欠けるものであった。
【０００５】
また、特許文献１に記載の上記従来の自動車用ドアミラーは、カバーが傷付いた場合に、新たなカバーとの交換は、カバーの一部を押すと、その可撓部を基部としてその部分が撓んで係合爪が移動することにより、該係合爪とドアミラー本体との係合が解除されて傷付いたカバーを取外す。そして、新たなカバーは、その係合爪をドアミラー本体に係合することにより、傷付いたカバーに代わって新たなカバーのみの交換を行なうものなので、カバーの交換に際して、カバーを過度に強引に押圧変形すると、カバーの係合爪近傍の、他の部位よりも薄肉をなした可撓部が応力変形に耐えきれずに、ヒビ割れたり、または、カバーの取付けに必要な肝心な前記係合爪が損傷されることもあり、カバーを再度ドアミラー本体に取付けることができず、カバーの交換には慎重さと熟練を要することがあった。
【０００６】
本考案は上記従来の問題点を解決するとともに、自動車の所有者が、車体の色彩と調和する自己の好みに適った色彩、図柄のドアミラー・カバーを選んで、ミラーを収容するドアミラー本体と該ドアミラー本体の背面に取付けられるケースとを備えた既設のドアミラー・ハウジングの表面に簡単な取扱いで容易かつ確実に取付け、ドアミラーの装飾性を高めて楽しむようにする自動車用ドアミラー・カバーを提供することを目的とする。
【課題を解決するための手段】
【０００７】
本考案の請求項１に記載の考案は、ミラーを収容するドアミラー本体と該ドアミラー本体の背面に取付けられるケースとを備えた既設のドアミラー・ハウジングの表面に合成樹脂にて形成された外装用カバー本体が、着脱可能に被着され、
前記外装用カバー本体は、前記ドアミラー・ハウジングの少なくとも前記ドアミラー本体の外周面に接着される保持ベース枠の下面に後部または全周部が挿着されて適宜色彩および適宜図柄に設けられるか、または適宜色彩または適宜図柄に設けられている
ことを特徴とする。
【０００８】
また、本考案の請求項２に記載の考案は、請求項１において、前記外装用カバー本体が、前記ドアミラー・ハウジングに設けられたウィンカーが外部に臨まれる個所を除いて前記ドアミラー・ハウジングの表面を覆うことを特徴とする。
【０００９】
また、本考案の請求項３に記載の考案は、請求項１または２において、前記外装用カバー本体が、ウィンカーが外部に臨まれる横長の凹欠窓部を正面視略中央過半部から外縁部に到るまで設けられることを特徴とする。
【００１０】
また、本考案の請求項４に記載の考案は、請求項１−３の何れかにおいて、前記外装用カバー本体が、前記ドアミラー・ハウジングの基端側外縁部から上縁部、および前記凹欠窓部を跨いで先端側外縁部、および下面側外縁部に到り、且つ両面接着テープを介して前記ドアミラー・ハウジングに接着された前記保持ベース枠の下面に挿着されて保持されるとともに、前記外装用カバー本体が前記ドアミラー・ハウジングに固着手段によりネジ止めされることを特徴とする。
【００１１】
また、本考案の請求項５に記載の考案は、請求項１−３の何れかにおいて、前記外装用カバー本体が、前記ドアミラー・ハウジングの基端側外縁部から上縁部、および先端側外縁部の上半部を経て前記凹欠窓部の上縁部を巡って下半部に設置面積を占めるように形成されて両面接着テープを介して前記ドアミラー・ハウジングに接着された前記保持ベース枠の下面に挿着されることにより保持されるとともに、前記保持ベース枠が前記ドアミラー・ハウジングに固着手段によりネジ止めされることを特徴とする。
【００１２】
また、本考案の請求項６に記載の考案は、請求項１−５の何れかにおいて、前記外装用カバー本体が、透明な合成樹脂により形成されたアウター・カバー部と、該アウター・カバー部内に透視可能に重合して内装され、外面には適宜模様、適宜色彩の表示部が表示されたインナー・カバー部とにより構成されていることを特徴とする。
【００１３】
また、本考案の請求項７に記載の考案は、請求項４または５の何れかにおいて、前記固着手段が、前記ドアミラー・ハウジング内に設けられた合成樹脂もしくはゴム製のインサートと該インサートに螺入されるタッピンネジにより構成されるか、または、前記ドアミラー・ハウジングの下面に取付けられるインサートナットと該インサートナット内に螺入されるネジにより構成されるか、前記ドアミラー・ハウジングの下面に係合可能なウェルナットと該ウェルナット内に螺入されるネジにより構成されることを特徴とする。
【考案の効果】
【００１４】
本考案の請求項１に記載の考案によれば、ミラーを収容するドアミラー本体と該ドアミラー本体の背面に取付けられるケースとを備えた既設のドアミラー・ハウジングの表面に合成樹脂にて形成された外装用カバー本体が、着脱可能に被着され、前記外装用カバー本体は、前記ドアミラー・ハウジングの少なくとも前記ドアミラー本体の外周面に接着される保持ベース枠の下面に図において後部または全周部が挿着されて適宜色彩および適宜図柄に設けられるか、または適宜色彩または適宜図柄に設けられているので、自動車の所有者が、車体の色彩と調和する自己の好みに適った色彩、図柄のドアミラー・カバーを選んで、ミラーを収容するドアミラー本体と該ドアミラー本体の背面に取付けられるケースとを備えた既設のドアミラー・ハウジングの表面に取付け、装飾性を高めて楽しむことができる。
【００１５】
そして、外装用カバー本体を既設のドアミラー・ハウジングに対して取付けるのには、
ドアミラー・ハウジングの少なくともドアミラー本体の外周面に接着される保持ベース枠の下面にドアミラー・カバーの図において後部または全周部を挿着するという簡単な取扱いで自動車の所有者が、車体の色彩と調和する自己の好みに適った色彩、図柄のドアミラー・カバーを選んで既設のドアミラー・ハウジングの表面に容易かつ確実に取付けることができ、装飾性を高めて楽しむことができる。
【００１６】
また、本考案の請求項２に記載の考案によれば、請求項１において、前記外装用カバー本体が、前記ドアミラー・ハウジングに設けられたウィンカーが外部に臨まれる個所を除いて前記ドアミラー・ハウジングの表面を覆うので、自動車の所有者は、車体の色彩と調和する自己の好みに適った色彩、図柄のドアミラー・カバーを選び、このドアミラー・カバーをミラーを収容するドアミラー本体と該ドアミラー本体の背面に取付けられるケースとを備えた既設のドアミラー・ハウジングの表面に取付けることにより、昼間は車体の色彩と調和する自己の好みに適った色彩、図柄のドアミラー・カバーの装飾性を高めて楽しむことができる。また、ドアミラー・カバーは、既設のドアミラー・ハウジングに設けられたウィンカーが外部に臨まれる個所を除いて前記ドアミラー・ハウジングの表面を覆うので、既設のドアミラー・ハウジングがドアミラー・カバーにより覆われても、ウィンカーの点滅は外部に適切に点灯表示され、安全運転に寄与する。
【００１７】
また、本考案の請求項３に記載の考案によれば、請求項１または２において、前記外装用カバー本体が、ウィンカーが外部に臨まれる横長の凹欠窓部を正面視略中央過半部から外縁部に到るまで設けられるので、自動車の所有者は、車体の色彩と調和する自己の好みに適った色彩、図柄のドアミラー・カバーを選び、このドアミラー・カバーをミラーを収容するドアミラー本体と該ドアミラー本体の背面に取付けられるケースとを備えた既設のドアミラー・ハウジングの表面に取付けることにより、昼間は車体の色彩と調和する自己の好みに適った色彩、図柄のドアミラー・カバーの装飾性を高めて楽しむことができる。また、ドアミラー・カバーは、外装用カバー本体が、ウィンカーが外部に臨まれる横長の凹欠窓部を正面視略中央過半部から外縁部に到るまで設けられるので、横長の凹欠窓部により、既設のドアミラー・ハウジングに設けられたウィンカーが外部に臨まれる個所を除いて前記ドアミラー・ハウジングの表面を覆うので、既設のドアミラー・ハウジングがドアミラー・カバーにより覆われても、ウィンカーの点滅は前記凹欠窓部を通じて外部に適切に点灯表示され、安全運転に寄与する。
【００１８】
また、本考案の請求項４に記載の考案によれば、請求項１−３の何れかにおいて、前記外装用カバー本体が、前記ドアミラー・ハウジングの基端側外縁部から上縁部、および前記凹欠窓部を跨いで先端側外縁部、および下面側外縁部に到り、且つ両面接着テープを介して前記ドアミラー・ハウジングに接着された前記保持ベース枠の下面に挿着されて保持されるとともに、前記外装用カバー本体が前記ドアミラー・ハウジングに固着手段によりネジ止めされるので、自動車の所有者は、車体の色彩と調和する自己の好みに適った色彩、図柄のドアミラー・カバーを選び、このドアミラー・カバーをミラーを収容するドアミラー本体と該ドアミラー本体の背面に取付けられるケースとを備えた既設のドアミラー・ハウジングの表面にドアミラー・ハウジングの基端側外縁部から上縁部、および前記凹欠窓部を跨いで先端側外縁部、および下面側外縁部に到り、且つ両面接着テープを介して前記ドアミラー・ハウジングに接着された前記保持ベース枠の下面に外装用カバー本体を挿着して保持されるとともに、前記外装用カバー本体が前記ドアミラー・ハウジングに固着手段によりネジ止めして取付けられることにより、昼間は車体の色彩と調和する自己の好みに適った色彩、図柄のドアミラー・カバーの装飾性を高めて楽しむことができる。
【００１９】
また、ドアミラー・カバーは、外装用カバー本体には、ウィンカーが外部に臨まれる横長の凹欠窓部が設けられるので、凹欠窓部により、既設のドアミラー・ハウジングに設けられたウィンカーが外部に臨まれる個所を除いて前記ドアミラー・ハウジングの表面を覆うため、既設のドアミラー・ハウジングがドアミラー・カバーにより覆われても、ウィンカーの点滅は前記凹欠窓部を通じて外部に適切に点灯表示され、安全運転に寄与する。
【００２０】
また、本考案の請求項５に記載の考案によれば、請求項１−３の何れかにおいて、前記外装用カバー本体が、前記ドアミラー・ハウジングの基端側外縁部から上縁部、および先端側外縁部の上半部を経て前記凹欠窓部の上縁部を巡って下半部に設置面積を占めるように形成されて両面接着テープを介して前記ドアミラー・ハウジングに接着された前記保持ベース枠の下面に挿着されることにより保持されるとともに、前記保持ベース枠が前記ドアミラー・ハウジングに固着手段によりネジ止めされるので、自動車の所有者は、車体の色彩と調和する自己の好みに適った色彩、図柄のドアミラー・カバーを選び、このドアミラー・カバーをミラーを収容するドアミラー本体と該ドアミラー本体の背面に取付けられるケースとを備えた既設のドアミラー・ハウジングの表面にドアミラー・ハウジングの基端側外縁部から上縁部、および先端側外縁部の上半部を経て前記凹欠窓部の上縁部を巡って下半部に設置面積が占めるように形成されて両面接着テープを介して前記ドアミラー・ハウジングに接着された前記保持ベース枠の下面に外装用カバー本体を挿着して保持されるとともに、前記保持ベース枠が前記ドアミラー・ハウジングに固着手段によりネジ止めして取付けられることにより、昼間は車体の色彩と調和する自己の好みに適った色彩と、図柄のドアミラー・カバーを選び装飾性を高めて楽しむことができる。
【００２１】
また、ドアミラー・カバーは、外装用カバー本体には、ウィンカーが外部に臨まれる横長の凹欠窓部が設けられるので、凹欠窓部により、既設のドアミラー・ハウジングに設けられたウィンカーが外部に臨まれる個所を除いて前記ドアミラー・ハウジングの表面を覆うため、既設のドアミラー・ハウジングがドアミラー・カバーにより覆われても、ウィンカーの点滅は前記凹欠窓部を通じて外部に適切に点灯表示され、安全運転に寄与する。
【００２２】
また、本考案の請求項６に記載の考案によれば、請求項１−５の何れかにおいて、前記外装用カバー本体が、透明な合成樹脂により形成されたアウター・カバー部と、該アウター・カバー部内に透視可能に重合して内装され、外面には適宜模様、適宜色彩の表示部が表示されたインナー・カバー部とにより構成されているので、装用カバー本体の透明な合成樹脂により形成されたアウター・カバー部に対して該アウター・カバー部内に透視可能に重合して内装されるインナー・カバー部の外面に施された表示を車体の色彩と調和する自己の好みに適った色彩と、図柄のドアミラー・カバーを選んで、ドアミラー・カバーの外装用カバー本体を既設のドアミラー・ハウジングの表面に取付け、覆えば、車体の色彩と調和する自己の好みに適った色彩と、図柄を選びドアミラー・カバーの装飾性を高めて楽しむことができる。
【００２３】
また、本考案の請求項７に記載の考案によれば、請求項４または５の何れかにおいて、前記固着手段が、前記ドアミラー・ハウジング内に設けられた合成樹脂もしくはゴム製のインサートと該インサートに螺入されるタッピンネジにより構成されるか、または、前記ドアミラー・ハウジングの下面に取付けられるインサートナットと該インサートナット内に螺入されるネジにより構成されるか、前記ドアミラー・ハウジングの下面に係合可能なウェルナットと該ウェルナット内に螺入されるネジにより構成されるので、既設のドアミラー・ハウジング内に固着に適う固着点が備わっている場合には、ドアミラー・ハウジング内に設けられた合成樹脂もしくはゴム製のインサートにタッピンネジを螺入することによりドアミラー・ハウジングに外装用カバー本体をタッピンネジを用いてネジ止めすることができる。また、既設のドアミラー・ハウジング内に固着に適う固着点が備わっていない場合には、ドアミラー・ハウジングの下面に取付けられるインサートナット内にネジを螺入するか、ドアミラー・ハウジングの下面に係合可能なウェルナット内にネジを螺入することによりウェルナットをドアミラー・ハウジングの下面に係合させてドアミラー・ハウジングに外装用カバー本体をネジ止めすることができる。
【図面の簡単な説明】
【００２４】
【図１】図１は本考案の自動車用ドアミラー・カバーの実施形態１を示す分解斜視図である。
【図２】図２は同じく既設のドアミラー本体に対する外装用カバー本体の固着手段個所において切断した縦断面図である。
【図３】図３は同じく既設のドアミラー本体に対する外装用カバー本体の固着手段を示す拡大断面図である。
【図４】図４は同じく本実施形態１の自動車用ドアミラー・カバーを示す拡大断面図である。
【図５】図５は同じく水平断面図である。
【図６】図６は同じく本実施形態１を構成する外装用カバー本体を示す斜視図である。
【図７】図７は同じく本実施形態１を構成する保持ベース枠を示す斜視図である。
【図８】図８は同じく既設のドアミラー本体に対する外装用カバー本体の固着手段の第１変形例を示す斜視図である。
【図９】図９は同じく固着手段の拡大断面図である。
【図１０】図１０は同じく既設のドアミラー本体に対する外装用カバー本体の固着手段の第１変形例を示す斜視図である。
【図１１】図１１は同じく固着手段の拡大断面図である。
【図１２】図１２は同じく本考案の自動車用ドアミラー・カバーの実施形態２を示す分解斜視図である。
【図１３】図１３は同じく本考案の自動車用ドアミラー・カバーの実施形態３を示す分解斜視図である。
【考案を実施するための形態】
【００２５】
以下、図面に従って本考案を実施するための最良の形態につき、詳細に説明する。
【００２６】
＜実施形態１＞
図１乃至図１１は本考案の自動車用ドアミラー・カバーの実施形態１を示し、ミラー２を収容するドアミラー本体１と該ドアミラー本体１の背面に取付けられるケース３とを備えた既設のドアミラー・ハウジング４の表面に合成樹脂にて形成された外装用カバー本体５が、着脱可能に被着され、前記外装用カバー本体５は、前記ドアミラー・ハウジング４の少なくとも前記ドアミラー本体１の外周面に接着される保持ベース枠６の下面に図において後部または全周部が挿着されて適宜色彩および適宜図柄に設けられるか、または適宜色彩または適宜図柄に設けられている。なお、図示では左側専用のドアミラー・カバーを示しているが、右側専用のドアミラー・カバーについては、左右対称構造であるので、図示は省略する。
【００２７】
前記外装用カバー本体５は、例えばＰＰ樹脂、アクリル樹脂、ＰＥＴ樹脂、ＡＢＳ樹脂、ＰＰＥ樹脂，ＡＥＳ樹脂、ＰＣ樹脂の何れかの合成樹脂により、正面略楕円椀状に形成される。また、前記保持ベース枠６は、例えばＰＰ樹脂、ＰＶＣ樹脂、ＡＢＳ樹脂、ＰＰＥ樹脂、ＡＥＳ樹脂の何れかの合成樹脂により形成される。
【００２８】
前記外装カバー本体５に適宜色彩を付すには、外装カバー本体５の成形時に顔料または染料を前記合成樹脂に混入することにより行う。色彩としては、例えば赤、青、緑、黄、橙、桃、白、黒、灰等の各種色彩があげられ、これらは例示である。また、外装カバー本体５に適宜図柄を設けるのには、例えばシルクスクリーン印刷、インクジェット印刷、ＵＶオフセット印刷により行われる。この図柄としては、図には示さないが、例えばハート形、リボン形、ヒョウ柄、小花模様、縞模様、チェッカーズ・フラッグ模様、斑点模様、星形、十字形等が挙げられ、これらは例示である。
【００２９】
前記外装用カバー本体５が、前記ドアミラー・ハウジング４に設けられたウィンカー７が外部に臨まれる個所を除いて前記ドアミラー・ハウジング４の表面を覆う。すなわち、前記外装用カバー本体５が、ウィンカー７が外部に臨まれる横長の凹欠窓部８を正面視略中央過半部から外縁部に到るまで設けられる（図１，図６参照）。
【００３０】
また、本実施形態１では、前記外装用カバー本体５が、前記ドアミラー・ハウジング４の基端側外縁部４ａから上縁部４ｂ、および前記凹欠窓部８を跨いで先端側外縁部４ｃ、および下面側外縁部４ｄに到り、且つ両面接着テープ９を介して前記ドアミラー・ハウジング４に接着された前記保持ベース枠６の下面に挿着されて保持されるとともに、前記外装用カバー本体５が前記ドアミラー・ハウジング４の下面に固着手段１０によりネジ止めされる。そして、この実施形態１では、保持ベース枠６に外装用カバー本体５を接着したり、または外装用カバー本体５を既設のドアミラー・ハウジング４に接着するのに、取り扱いが簡便な点から両面接着テープ９を用いて接着しているが、保持ベース枠６に外装用カバー本体５を接着したり、または外装用カバー本体５を既設のドアミラー・ハウジング４に接着するのには接着剤を用いて接着してもよい。
【００３１】
前記固着手段１０が、本実施形態１では、既設のドアミラー・ハウジング４内に固着に適う固着点が備わっている場合には、前記ドアミラー・ハウジング４内に設けられた合成樹脂もしくはゴム製のインサート１１と該インサート１１に螺入されるタッピンネジ１２により構成される。この固着手段１０はこのほかに、図８および図９に示す第１変形例のように、既設のドアミラー・ハウジング４内に固着に適う固着点が備わっていない場合には、前記ドアミラー・ハウジング４の下面に取付けられるインサートナット１３と該インサートナット１３内に螺入されるネジ１４により構成されるか、または図１０および図１１に示す第２変形例のように、前記ドアミラー・ハウジング４の下面に係合可能なウェルナット１５と該ウェルナット１５内に螺入されるネジ１６により構成されるものも使用される。なお、図において１７はワッシャーである。
【００３２】
本考案の自動車用ドアミラー・カバーの本実施形態１は以上の構成からなり、ミラー２を収容するドアミラー本体１と該ドアミラー本体１の背面に取付けられるケース３とを備えた既設のドアミラー・ハウジング４の表面に合成樹脂にて形成された外装用カバー本体５が、着脱可能に被着され、前記外装用カバー本体５は、前記ドアミラー・ハウジング４の少なくとも前記ドアミラー本体１の外周面に接着される保持ベース枠６の下面に図において後部または全周部が挿着されて適宜色彩および適宜図柄に設けられるか、または適宜色彩または適宜図柄に設けられているので、自動車の所有者が、車体の色彩と調和する自己の好みに適った色彩、例えば赤、青、緑、黄、橙、桃、白、黒、灰等の各種色彩と、また、例えばシルクスクリーン印刷、インクジェット印刷、ＵＶオフセット印刷により、例えばハート形、リボン形、ヒョウ柄、小花模様、縞模様、チェッカーズ・フラッグ模様、斑点模様、星形、十字形等の図柄が設けられたドアミラー・カバーを選んで、ミラー２を収容するドアミラー本体１と該ドアミラー本体１の背面に取付けられるケース３とを備えた既設のドアミラー・ハウジング４の表面に取付け、装飾性を高めて楽しむことができる。
【００３３】
そして、外装用カバー本体５を既設のドアミラー・ハウジング４に対して取付けるのには、本実施形態１では、既設のドアミラー・ハウジング４の少なくともドアミラー本体１の外周面に両面接着テープ９を介して保持ベース枠６を接着し、この保持ベース枠６の下面に、外装用カバー本体５の図において後部または全周部を挿着するとともに、図２、および図３に示す固着手段１０に示すように、前記ドアミラー・ハウジング４の下底内に設けられた合成樹脂もしくはゴム製のインサート１１にタッピンネジ１２を螺入するという簡単な取扱いにより、特許文献１に記載の従来の自動車用ドアミラーが、薄肉の可撓部を応力変形するのとは異なり、ヒビ割れたり、カバーの取付けに必要な係合爪が損傷されることもないため、ドアミラー・カバーの交換に、慎重さと熟練を要せずに、外装用カバー本体５を既設のドアミラー・ハウジング４に対して迅速かつ構造堅牢に取付けることができる。
【００３４】
しかも、外装用カバー本体５を既設のドアミラー・ハウジング４に取付けるための固着手段１０は図２、および図３に示す前記説明のほかに、図８および図９に示す第１変形例のように、前記ドアミラー・ハウジング４の下面に取付けられるインサートナット１３内にネジ１４を螺入するか、または図１０および図１１に示す第２変形例のように、ウェルナット１５内にネジ１６を螺入することにより、前記ドアミラー・ハウジング４の下面にウェルナット１５を係止させることもある。
【００３５】
また、前記外装用カバー本体５は、前記ドアミラー・ハウジング４に設けられたウィン  カー７が外部に臨まれる個所を除いて、すなわち、ウィンカー７が外部に臨まれる横長の凹欠窓部８を正面視略中央過半部から外縁部に到るまで設けることにより、前記ドアミラー・ハウジング４の表面を覆うので、既設のドアミラー・ハウジング４が外装用カバー本体５により覆われても、ウィンカー７の点滅は外部に適切に点灯表示され、安全運転に寄与できる。
【００３６】
＜実施形態２＞
図１２に示すものは本考案の実施形態２である。
【００３７】
この実施形態２では、前記外装用カバー本体５が、前記ドアミラー・ハウジング４の基端側外縁部４ａから上縁部４ｂ、および先端側外縁部４ｃの上半部を経て前記凹欠窓部８の上縁部を巡って下半部４Ａを設置面積が占めるように形成されて両面接着テープ９を介して前記ドアミラー・ハウジング４に接着された前記保持ベース枠６の下面に全周が挿着されることにより保持されるとともに、前記保持ベース枠６が前記ドアミラー・ハウジング４に固着手段１０によりネジ止めされる構成である点が前記実施形態１とは異なる構成である。
【００３８】
そして、本実施形態２では、自動車の所有者は、車体の色彩と調和する自己の好みに適った色彩、図柄のドアミラー・カバーを選び、このドアミラー・カバーをミラー２を収容するドアミラー本体１と該ドアミラー本体１の背面に取付けられるケース３とを備えた既設のドアミラー・ハウジング４の表面に、該ドアミラー・ハウジング４の基端側外縁部４ａから上縁部４ｂ、および先端側外縁部４ｃの上半部を経て前記凹欠窓部８の上縁部を巡って下半部４Ａを設置面積が占めるように形成されて両面接着テープ９を介して前記ドアミラー・ハウジング４に接着された前記保持ベース枠６の下面に外装用カバー本体５を挿着して保持されるとともに、前記保持ベース枠６が前記ドアミラー・ハウジング４に固着手段１０によりネジ止めして取付けられることにより、昼間は車体の色彩と調和する自己の好みに適った色彩、図柄のドアミラー・カバーの装飾性を高めて楽しむことができるという前記実施形態１と同様の作用・効果を奏する。
【００３９】
＜実施形態３＞
図１３に示すものは本考案の実施形態３である。
【００４０】
この実施形態３では、前記外装用カバー本体５が、透明な合成樹脂により形成されたアウター・カバー部５Ａと、該アウター・カバー部５Ａ内に透視可能に重合して内装され、外面には適宜模様、適宜色彩の表示部が表示されたインナー・カバー部５Ｂとにより構成されている。
【００４１】
そして、本実施形態３では、装用カバー本体５の透明な合成樹脂により形成されたアウター・カバー部５Ａに対して該アウター・カバー部５Ａ内に透視可能に重合して内装されるインナー・カバー部５Ｂの外面に施された表示を車体の色彩と調和する自己の好みに適った色彩、図柄のドアミラー・カバーを選んで、ドアミラー・カバーの外装用カバー本体５を既設のドアミラー・ハウジング４の表面に取付け、覆えば、車体の色彩と調和する自己の好みに適った色彩、図柄のドアミラー・カバーの装飾性を高めて楽しむことができる点が前記実施形態１、および前記実施形態２と同様の作用・効果がある。
【産業上の利用可能性】
【００４２】
本考案は、自動車の所有者が、車体の色彩と調和する自己の好みに適った色彩、図柄のドアミラー・カバーを選んで、ミラーを収容するドアミラー本体と該ドアミラー本体の背面に取付けられるケースとを備えた既設のドアミラー・ハウジングの表面に簡単な取扱いで容易かつ確実に取付け、装飾性を高めて楽しむようにする用途・機能に適する。
【符号の説明】
【００４３】
１    ドアミラー本体
２    ミラー
３    ケース
４    ドアミラー・ハウジング
４Ａ  下半部
４ａ  基端側外縁部
４ｂ  上縁部
４ｃ  先端側外縁部
４ｄ  下面側外縁部
５    外装用カバー本体
６    保持ベース枠
７    ウィンカー
８    凹欠窓部
９    両面接着テープ
１０  固着手段
１１  インサート
１２  タッピングネジ
１３  インサートナット
１４  ネジ
１５  ウェルナット
１６  ネジ
【図１】
0003164951.tif 000003
【図２】
0003164951.tif 000004
【図３】
0003164951.tif 000005
【図４】
0003164951.tif 000006
【図５】
0003164951.tif 000007
【図６】
0003164951.tif 000008
【図７】
0003164951.tif 000009
【図８】
0003164951.tif 000010
【図９】
0003164951.tif 000011
【図１０】
0003164951.tif 000012
【図１１】
0003164951.tif 000013
【図１２】
0003164951.tif 000014
【図１３】
0003164951.tif 000015